(57)【要約】【課題】簡単な構成で、コイルエンドの整列と被膜へのストレス低減を両立することができる回転電機の固定子を提供すること。【解決手段】車両用交流発電機１は、断面が長辺Ｌと短辺Ｓからなる矩形または長径Ｌと短径Ｓからなる楕円形を有するＵ字状の複数の導体セグメント２３０の端部同士を接合することにより形成された固定子巻線２３と、複数のスロット２５が周方向に配列され、導体セグメント２３０のターン部を挟んだ２本の直線部が異なるスロット２５に収容される固定子鉄心２２とを備える。導体セグメント２３０は、ターン部を挟んだ両側において、矩形あるいは楕円形の断面が互いに９０°捻られている。【選択図】図３
2010035381.tif 000002
【特許請求の範囲】
【請求項１】
複数のスロットを周方向に配列した円筒状の固定子鉄心と、前記固定子鉄心に装着された固定子巻線とを有し、
前記固定子巻線は、前記スロット内に収納されたスロット部と、前記スロット部の端部を連結するコイルエンド部と、からなり、
前記スロット部の断面は、長辺Ｌと短辺Ｓからなる矩形、または長径Ｌと短径Ｓからなる楕円形をなし、
前記スロット部は、前記スロット内に径方向に配置され、
前記固定子鉄心の軸方向端面側に配置される前記コイルエンド部は、外径側斜行部と、頂部と、内径側斜行部と、からなり、
前記外径側斜行部は、外径側の前記スロット部から前記頂部に向けて、周方向に延伸されるとともに、前記固定子鉄心から軸方向に離間し、
前記頂部は、前記外径側斜行部から前記内径側斜行部へと、径方向に接合し前記固定子鉄心から最大限離間し、
前記内径側斜行部は、前記頂部から内径側の前記スロット部に向けて、周方向に延伸されるとともに、前記固定子鉄心へ軸方向に漸近し、
前記外径側斜行部において、前記固定子巻線は周方向に前記長辺Ｌまたは前記長径Ｌを向けて配置され、
前記内径側斜行部において、前記固定子巻線は径方向に前記長辺Ｌまたは前記長径Ｌを向けて配置され、
前記頂部において、前記外径側斜行部および前記内径側斜行部の前記長辺Ｌあるいは前記長径Ｌは滑らかに方向転換することを特徴とする回転電機の固定子。
【請求項２】
請求項１において、
内径側の前記スロット部は、周方向に前記短辺Ｓあるいは前記短径Ｓを向けて配置され、
外径側の前記スロット部は、周方向に前記長辺Ｌあるいは前記長径Ｌを向けて配置されていることを特徴とする回転電機の固定子。
【請求項３】
請求項２において、
前記固定子巻線は、前記スロット部の前記長辺Ｌと前記短辺Ｓとの比Ｓ／Ｌあるいは前記長径Ｌと前記短径Ｌとの比Ｓ／Ｌの異なるｎ組の２ｎ本の前記スロット部を含んで構成され、
長辺／長径Ｌ１、Ｌ２、・・・、Ｌｎ−１、Ｌｎおよび短辺／短径Ｓｎ、Ｓｎ−１、・・・、Ｓ２、Ｓ１が、外径側から内径側にこの順番で配置されるとともに、
それぞれの関係がＬ１≧Ｌ２≧・・・≧Ｌｎ−１≧Ｌｎ≧Ｓｎ≧Ｓｎ−１≧・・・≧Ｓ２≧Ｓ１の関係を満足することを特徴とする回転電機の固定子。
【請求項４】
請求項１において、
前記スロット部の断面形状は、前記長辺Ｌと前記短辺Ｓとが等しい正方形であることを特徴とする回転電機の固定子。
【請求項５】
断面が長辺Ｌと短辺Ｓからなる矩形または長径Ｌと短径Ｓからなる楕円形を有するＵ字状の複数の導体セグメントの端部同士を接合することにより形成された固定子巻線と、複数のスロットが周方向に配列され、前記導体セグメントの頂部を挟んだ２本の直線部が異なる前記スロットに収容される固定子鉄心とを備える回転電機の固定子において、
前記導体セグメントは、前記頂部を挟んだ両側において、前記矩形あるいは前記楕円形の断面が互いに９０°捻られていることを特徴とする回転電機の固定子。
【請求項６】
請求項５において、
Ｕ字状の前記導体セグメントは、断面が前記矩形あるいは前記楕円形を有する直線状の導体を中央部において９０°捻った状態でＵ字状に変形させて形成されることを特徴とする回転電機の固定子。
【発明の詳細な説明】
【技術分野】
【０００１】
本発明は、乗用車やトラック等に搭載される回転電機の固定子に関する。
【背景技術】
【０００２】
従来から、車両用交流発電機に用いられる固定子として、複数の導体セグメントを接合することにより形成された巻線を有するものが知られている（例えば、特許文献１参照。）。特許文献１に開示された固定子は、Ｕ字状の複数の導体セグメントを固定子鉄心の一方の端面側から挿入した後に、反挿入側の端部同士を接合することにより巻線が形成されている。この固定子は、連続した導体を巻いて巻線を構成する場合に比べて、規則的に配置された巻線が形成しやすいという特長がある。また、同じようにＵ字状の導体セグメントを用いて巻線が形成された各種の車両用回転電機が知られている（例えば、特許文献２参照。）。
【特許文献１】国際公開第９２／０６５２７号パンフレット
【特許文献２】特開２００８−４８４８８号公報
【発明の開示】
【発明が解決しようとする課題】
【０００３】
ところで、特許文献１に開示された固定子では、固定子鉄心の各スロットに挿入された導体は、Ｕ字状に形成する際に、曲げ内径側に非常に大きなストレスがかかる。曲げ内径面は面直角方向にほぼ１８０°まで変形し、さらにせん断方向に捻られるため、特にこの部位について被膜強度と被膜の密着強度が求められる。曲げすぎたり、捻りすぎた場合も被膜が破れたり剥がれたりするおそれがある。
【０００４】
また、特許文献２に開示された車両用回転電機の巻線では、長手方向に１８０°捻った部分の両端をコ字成形することで、被覆された絶縁物の損傷や導体自身の割れおよび亀裂発生を有効に防止しているが、曲げ長さＬ（特許文献２の図２に示される間隔Ｌ）が短い場合には、１８０°捻ることにより生じる移動量が多くなるため、被膜破れや剥がれ、導体自体の割れまたは亀裂が発生するおそれがある。
【０００５】
本発明は、このような点に鑑みて創作されたものであり、その目的は、簡単な構成で、コイルエンドの整列と被膜へのストレス低減を両立することができる回転電機の固定子を提供することにある。
【課題を解決するための手段】
【０００６】
上述した課題を解決するために、本発明の回転電機の固定子は、複数のスロットを周方向に配列した円筒状の固定子鉄心と、固定子鉄心に装着された固定子巻線とを有し、固定子巻線は、スロット内に収納されたスロット部と、スロット部の端部を連結するコイルエンド部とからなり、スロット部の断面は、長辺Ｌと短辺Ｓからなる矩形、または長径Ｌと短径Ｓからなる楕円形をなし、スロット部は、スロット内に径方向に配置され、固定子鉄心の軸方向端面側に配置されるコイルエンド部は、外径側斜行部と、頂部と、内径側斜行部とからなり、外径側斜行部は、外径側のスロット部から頂部に向けて、周方向に延伸されるとともに、固定子鉄心から軸方向に離間し、頂部は、外径側斜行部から内径側斜行部へと、径方向に接合し固定子鉄心から最大限離間し、内径側斜行部は、頂部から内径側のスロット部に向けて、周方向に延伸されるとともに、固定子鉄心へ軸方向に漸近し、外径側斜行部において、固定子巻線は周方向に長辺Ｌまたは長径Ｌを向けて配置され、内径側斜行部において、固定子巻線は径方向に長辺Ｌまたは長径Ｌを向けて配置され、頂部において、外径側斜行部および内径側斜行部の長辺Ｌあるいは長径Ｌは滑らかに方向転換している。
【０００７】
外径側斜行部の下面（固定子鉄心側）と外径側斜行部の内径面と内径側斜行部の下面（固定子鉄心側）と内径側斜行部の内径面とがそれぞれ滑らかに連続するように変形するため、頂部を挟んでその両側で斜行部の方向を変えるという簡単な構成により、各々の面の各々の部位に加わるストレスを低減することができる。したがって、固定子巻線の被膜へのストレスを低減して確実な被覆を提供することができ、耐環境性が良好な回転電機の固定子を提供することができる。
【０００８】
また、内径側のスロット部は、周方向に短辺Ｓあるいは短径Ｓを向けて配置され、外径側のスロット部は、周方向に長辺Ｌあるいは長径Ｌを向けて配置されていることが望ましい。周長の長い外径側では周方向に長辺Ｌあるいは長径Ｌを向けて配置され、周長の短い内径側では周方向に短辺Ｓあるいは短径Ｓを向けて配置される。これにより、周方向に隣接するコイルエンドのギャップを均一に設定することができ、コイル間のショートやレアの発生を防止し、耐環境性良好な回転電機の固定子を提供することができる。
【０００９】
また、上述した固定子巻線は、スロット部の長辺Ｌと短辺Ｓとの比Ｓ／Ｌあるいは長径Ｌと短径Ｌとの比Ｓ／Ｌの異なるｎ組の２ｎ本のスロット部を含んで構成され、長辺／長径Ｌ１、Ｌ２、・・・、Ｌｎ−１、Ｌｎおよび短辺／短径Ｓｎ、Ｓｎ−１、・・・、Ｓ２、Ｓ１が、外径側から内径側にこの順番で配置されるとともに、それぞれの関係がＬ１≧Ｌ２≧・・・≧Ｌｎ−１≧Ｌｎ≧Ｓｎ≧Ｓｎ−１≧・・・≧Ｓ２≧Ｓ１の関係を満足することが望ましい。これにより、スロット内に２Ｎ本の導体を整列配置した場合であっても、周方向に隣接するコイルエンドのギャップを均一に設定することができ、コイル間のショートやレアの発生を防止することができる。
【００１０】
また、上述したスロット部の断面形状は、長辺Ｌと短辺Ｓとが等しい正方形であることが望ましい。このように、縦横の長さが等しい正方形断面の導体を用いることにより、内径側と外径側を反対にする誤組付けをなくすことができる。
【００１１】
また、本発明の回転電機の固定子は、断面が長辺Ｌと短辺Ｓからなる矩形または長径Ｌと短径Ｓからなる楕円形を有するＵ字状の複数の導体セグメントの端部同士を接合することにより形成された固定子巻線と、複数のスロットが周方向に配列され、導体セグメントの頂部を挟んだ２本の直線部が異なるスロットに収容される固定子鉄心とを備えており、導体セグメントは、頂部を挟んだ両側において、矩形あるいは楕円形の断面が互いに９０°捻られていることが望ましい。捻る角度を９０°とすることにより、導体の変形量を抑えて被膜に加わるストレスを低減することができ、耐環境性が良好な回転電機の固定子を提供することができる。また、矩形あるいは楕円形の断面を有する導体を９０°捻ることにより、この導体をスロット内に規則正しく配置することが可能になる。
【００１２】
また、Ｕ字状の導体セグメントは、断面が矩形あるいは楕円形を有する直線状の導体を中央部において９０°捻った状態でＵ字状に変形させて形成されることが望ましい。これにより、捻りのない導体の一部を９０°捻ってＵ字状に折り曲げることにより導体セグメントを形成することができ、製造が容易になるとともに量産性に適した固定子を実現することができる。
【発明を実施するための最良の形態】
【００１３】
以下、本発明を適用した一実施形態の車両用交流発電機について、図面を参照しながら詳細に説明する。図１は、一実施形態の車両用交流発電機の全体構成を示す図である。また、図２は図１に示す車両用交流発電機の結線図である。
【００１４】
図１に示す車両用交流発電機１は、固定子２、回転子３、フレーム４、整流装置５等を含んで構成されている。
【００１５】
固定子２は、固定子鉄心２２と、固定子鉄心２２に形成された複数のスロット（例えば本実施形態では９６個）内に備わった電気導体としての複数の導体セグメントを相互に接合することにより形成された固定子巻線２３と、固定子鉄心２２と固定子巻線２３との間を電気絶縁するインシュレータ２４とを含んで構成されている。固定子鉄心２２は、薄い鋼板を重ね合わせて構成されている。
【００１６】
固定子巻線２３は、一つの多相巻線を一組として、複数組の多相巻線が設けられている。例えば、図２に示すように、本実施形態の固定子巻線２３は、２組の多相巻線としての三相巻線２３Ａ、２３Ｂからなっており、これら２組の三相巻線２３Ａ、２３Ｂが互いに電気角で３０°異なる位置に巻装されている。一方の三相巻線２３Ａは、Ｙ結線されたＸ相巻線、Ｙ相巻線、Ｚ相巻線を含んでいる。また、他方の三相巻線２３Ｂは、Ｙ結線されたＵ相巻線、Ｖ相巻線、Ｗ相巻線を含んでいる。
【００１７】
回転子３は、シャフト６と一体になって回転するものであり、１組のランデル型ポールコア７、界磁コイル８、スリップリング９、１０、冷却用の斜流ファン１１および遠心ファン１２等を含んで構成されている。シャフト６は、プーリ２０に連結され、車両に搭載された走行用のエンジン（図示せず）によって回転駆動される。
【００１８】
ランデル型のポールコア７は、一組のコアを組み合わせることにより構成されている。各コアは、シャフト６に組み付けられた円筒状のボス部７１と、ボス部７１の一方の軸方向端面から径方向に延びるディスク部７２と、ディスク部７２の外周部から軸方向に沿ってボス部７１側に延びる複数の爪状磁極部７３とによって構成されている。各ポールコア７は、それぞれの爪状磁極部７３を互い違いに向かい合わせるようにして組み付けられる。界磁コイル８は、絶縁紙８１を介してポールコア７の爪状磁極部７３の内径側に適当な圧縮力をもって当接されている。絶縁紙８１は、樹脂を含浸したシートからなり、界磁コイル８を包囲しており、加熱処理によって界磁コイル８を固着するとともに、ポールコア７と界磁コイル８との間の電気絶縁を担っている。
【００１９】
プーリ２０側に配置されたポールコア７のディスク部７２の端面には、冷却用の斜流ファン１１が溶接等により固定されている。また、反プーリ２０側（スリップリング側）に配置されたポールコア７のディスク部７２の端面には、遠心ファン１２が溶接等により固定されている。斜流ファン１１の投影面積（回転方向に投影したブレードの面積）は、遠心ファン１２のブレードの投影面積よりも小さく設定されている。
【００２０】
フレーム４は、固定子２および回転子３を収容しており、回転子３がシャフト６を中心に回転可能な状態で支持されているとともに、回転子３のポールコア７の外周側に所定の隙間を介して配置された固定子２が固定されている。フレーム４は、フロントフレーム４Ａとリアフレーム４Ｂとからなり、これらが複数本の締結ボルト（図示せず）によって締結されて上述した固定子２等の支持が行われる。また、フレーム４は、固定子鉄心２２の軸方向端面から突出した固定子巻線２３に対向した部分に冷却風の吐出窓４１が、軸方向端面に吸入窓４２がそれぞれ設けられている。
【００２１】
リアフレーム４Ｂの外側には、整流装置５や電圧調整装置５１、ブラシ装置５２が取り付けられ、これらを覆うようにリヤカバー５３が取り付けられる。
【００２２】
整流装置５は、固定子巻線２３から延びる引出し線が接続されており、印加される三相交流電圧を三相全波整流して直流電圧に変換する。図２に示すように、固定子巻線２３には２組の三相巻線２３Ａ、２３Ｂが含まれており、整流装置５には２組の三相巻線２３Ａ、２３Ｂのそれぞれに対応する２つの三相全波整流回路５Ａ、５Ｂが含まれている。
【００２３】
上述した構造を有する車両用交流発電機１は、ベルト等を介してプーリ２０にエンジン（図示せず）からの回転力が伝えられると回転子３が所定方向に回転する。この状態で回転子３の界磁コイル８に外部から励磁電圧を印加することにより、ポールコア７のそれぞれの爪状磁極部７３が励磁され、固定子巻線２３に三相交流電圧を発生させることができ、整流装置５の出力端子からは所定の直流電力が取り出される。
【００２４】
次に、固定子２の詳細について説明する。図３は、固定子巻線２３を構成する導体セグメントの斜視図である。また、図４は図３に示した導体セグメントの組み付け状態を示す斜視図である。図５は、導体セグメントの形成過程を示す図である。
【００２５】
固定子鉄心２２のスロット２５に装備された固定子巻線２３は複数の電気導体により構成され、各スロット２５には偶数本（本実施形態では４本）の電気導体が収容されている。また、一のスロット２５内の４本の電気導体は、図４に示すように固定子鉄心２２の径方向について内側から内端層２３１ａ、内中層２３２ａ、外中層２３２ｂ’、外端層２３１ｂ’の順で一列に配列されている。
【００２６】
本明細書では、スロット２５内に収容された各電気導体を「スロット部」と称するものとする。また、本実施形態の固定子巻線２３では、スロット部およびスロット２５の外部に突出する電気導体の断面は、長辺Ｌと短辺Ｓからなる矩形形状を有している。
【００２７】
一のスロット２５内の内端層の電気導体２３１ａは、固定子鉄心２２の時計回り方向に向けて１磁極ピッチ離れた他のスロット２５内の外端層の電気導体２３１ｂと対をなしている。同様に、一のスロット２５内の内中層の電気導体２３２ａは固定子鉄心２２の時計回り方向に向けて１磁極ピッチ離れた他のスロット２５内の外中層の電気導体２３２ｂと対をなしている。そして、これらの対をなす電気導体は、固定子鉄心２２の軸方向の一方の端面側において連続線を用いることにより、頂部としてのターン部２３１ｃ、２３２ｃを経由することで接続される。
【００２８】
したがって、固定子鉄心２２の一方の端面側においては、外中層の電気導体２３２ｂと内中層の電気導体２３２ａとをターン部２３２ｃを経由して接続する連続線を、外端層の電気導体２３１ｂと内端層の電気導体２３１ａとをターン部２３１ｃを経由して接続する連続線が内包することとなる。このように、固定子鉄心２２の一方の端面側においては、対をなす電気導体の接続部としてのターン部２３２ｃが、同じスロット２５内に収容された他の対をなす電気導体の接続部としてのターン部２３１ｃにより囲まれる。外中層の電気導体２３２ｂと内中層の電気導体２３２ａとの接続により中層コイルエンドが形成され、外端層の電気導体２３１ｂと内端層の電気導体２３１ａとの接続により端層コイルエンドが形成される。
【００２９】
一方、一のスロット２５内の内中層の電気導体２３２ａは、固定子鉄心２２の時計回り方向に向けて１磁極ピッチ離れた他のスロット２５内の内端層の電気導体２３１ａ’とも対をなしている。同様に、一のスロット２５内の外端層の電気導体２３１ｂ’は、固定子鉄心２２の時計回り方向に向けて１磁極ピッチ離れた他のスロット２５内の外中層の電気導体２３２ｂとも対をなしている。そして、これらの電気導体は固定子鉄心２２の軸方向の他方の端面側において接合により接続される。
【００３０】
したがって、固定子鉄心２２の他方の端面側においては、外端層の電気導体２３１ｂ’と外中層の電気導体２３２ｂとを接続する外側接合部２３３ｂと、内端層の電気導体２３１ａ’と内中層の電気導体２３２ａとを接続する内側接合部２３３ａとが、径方向および周方向に互いにずれた状態で配置されている。外端層の電気導体２３１ｂ’と外中層の電気導体２３２ｂとの接続、および内端層の電気導体２３１ａ’と内中層の電気導体２３２ａとの接続により、異なる同心円上に配置された２つの隣接層コイルエンドが形成される。
【００３１】
さらに、図３に示すように、内端層の電気導体２３１ａと外端層の電気導体２３１ｂとが、一連の電気導体をほぼＵ字状に成形してなる大セグメント２３１により提供される。また、内中層の電気導体２３２ａと外中層の電気導体２３２ｂとが一連の電気導体をほぼＵ字状に成形してなる小セグメント２３２により提供される。基本となるＵ字状の導体セグメント２３０は、大セグメント２３１と小セグメント２３２によって形成される。各セグメント２３１、２３２は、スロット２５内に収容されて軸方向に沿って延びる部分を備えるとともに、軸方向に対して所定角度傾斜して延びる曲げ部としての斜行部２３１ｆ、２３１ｇ、２３２ｆ、２３２ｇを備える。これら斜行部によって、固定子鉄心２２から軸方向の両端面に突出するコイルエンドが形成されており、回転子３の軸方向の両端面に取り付けられた斜流ファン１１および遠心ファン１２を回転させたときに生じる冷却風の通風路は、主にこれら斜行部の間に形成されている。また、この冷却風の通風路には、固定子巻線２３の引出し線も配置されている。
【００３２】
以上の構成を、全てのスロット２５の導体セグメント２３０について繰り返す。そして、反ターン部側のコイルエンド群において、外端層の端部２３１ｅ’と外中層の端部２３２ｅ、並びに内中層の端部２３２ｄと内端層の端部２３１ｄ’とがそれぞれ溶接、超音波溶着、アーク溶接、ろう付け等の手段によって接合されて外側接合部２３３ｂおよび内側接合部２３３ａが形成され、電気的に接続されている。
【００３３】
次に、導体セグメント２３０の形成過程の詳細について説明する。上述したように導体セグメント２３０には、大セグメント２３１と小セグメント２３２が含まれており、以下の説明では大セグメント２３１に着目して説明を行うものとする。
【００３４】
大セグメント２３１は、図５に示すように、矩形状の断面を有する銅線を９０°に捻るとともに（図５（Ｂ））、捻ったところを中心にＵ字状の導体２３１’に変形し（図５（Ａ））、さらにこのＵ字状の導体２３１’をＡ方向に変形させて形成したターン部２３１ｃおよび斜行部２３１ｆに連なる２つの直線部２３１ａ、２３１ｂを、固定子鉄心２２のスロット２５にインシュレータ２４を介在させた状態で挿入し、反ターン部側をＢ方向に折り曲げて斜行部２３１ｇを形成した後、その先端部分である端部２３１ｄ、２３１ｅを別に挿入された小セグメント２３２の端部に接合することにより構成されている。図５において、矢印Ｃは固定子鉄心２２の周方向を示している。
【００３５】
実際には、図４に示すように、反ターン部側の斜行部が形成される前の大セグメント２３１と小セグメント２３２を、固定子鉄心２２の軸方向端面の同一側にターン部２３１ｃ、２３２ｃが揃うように重ね、大セグメント２３１はスロット２５の奥側に、小セグメント２３２はスロット２５の開口側に位置するように挿入する。これらの大セグメント２３１と小セグメント２３２は、平角被覆導線を折り曲げ、プレス等でほぼＵ字型形状に成形して製作され、ほぼ平行なスロット２５の側面に、大セグメント２３１と小セグメント２３２のそれぞれの両側面がインシュレータ２４を介して当接するように圧入される。その後、図３に示すように、ターン部２３１ｃ、２３２ｃと斜行部２３１ｆ、２３２ｆによって形成される第１のコイルエンド群（コイルエンド部）２３ａとは反対側に位置する端部２３１ｄ、２３２ｄを互いに隣接するもの同士が反対側に位置するように周方向に折り曲げた後、異層の大セグメント２３１の端部２３１ｄと小セグメント２３２の端部２３２ｄ同士が電気導通するように超音波溶着、アーク溶接、ろう付け等で接合され、その接合された端部２３１ｄ、２３２ｄと斜行部２３１ｇ、２３２ｇによって第２のコイルエンド群２３（コイルエンド部）ｂが形成される。
【００３６】
ところで、図３に示すように、大セグメント２３１の斜行部２３１ｆには、ターン部２３１ｃを挟んで径方向内側（内径側）に配置される内径側斜行部２３１ｆ１と径方向外側（外径側）に配置される外径側斜行部２３１ｆ２とが含まれる。同様に、小セグメント２３２の斜行部２３２ｆには、ターン部２３２ｃを挟んで径方向内側に配置される内径側斜行部２３２ｆ１と径方向外側に配置される外径側斜行部２３２ｆ２とが含まれる。
【００３７】
大セグメント２３１の外径側斜行部２３１ｆ２は、外径側のスロット部としての外端層の電気導体２３１ｂからターン部２３１ｃに向けて周方向に延伸されるとともに、固定子鉄心２２から軸方向に離間している。また、ターン部２３１ｃは、外径側斜行部２３１ｆ２から内径側斜行部２３１ｆ１へと径方向に接合し、固定子鉄心２２から最大限離間している。内径側斜行部２３１ｆ１は、ターン部２３１ｃから内径側のスロット部としての内端層の電気導体２３１ａに向けて周方向に延伸されるとともに、固定子鉄心２２へ軸方向に漸近している。さらに、外径側斜行部２３１ｆ２において、固定子巻線２３は周方向に長辺Ｌを向けて配置され、内径側斜行部２３１ｆ１において、固定子巻線２３は径方向に長辺Ｌを向けて配置され、ターン部２３１ｃにおいて、外径側斜行部２３１ｆ２および内径側斜行部２３１ｆ１の長辺Ｌは滑らかに方向転換している。小セグメント２３２についても同様である。
【００３８】
図６は、一方の三相巻線２３Ａの詳細な等価回路を示す図である。なお、他方の三相巻線２３Ｂも同様の構成を有しており、その詳細説明は省略する。
【００３９】
上述したように、固定子巻線２３には２組の三相巻線２３Ａ、２３Ｂが含まれており、それぞれが整流装置５に含まれる整流回路５Ａ、５Ｂに別々に接続されている。また、一方の三相巻線２３Ａは、Ｘ相巻線、Ｙ相巻線、Ｚ相巻線のそれぞれの一方端同士が共通に結線されたＹ結線を有するが、各相巻線は電気角が１８０°異なるように巻装された２つの巻線を相間接合線を介して逆相の状態で直列接続することにより構成されている。
【００４０】
Ｘ相巻線に着目すると、互いに電気角が１８０°異なる巻線Ｘ１と巻線Ｘ２とが、異型の導体セグメントによって構成される相間接合線Ｘａを介して接続されている。そして、一方の巻線Ｘ１の一方端側であって相間接合線Ｘａと反対側の端部Ｘからは整流装置５に向かって引出し線Ｘｂが延びており、他方の巻線Ｘ２の他方端側であって相間接合線Ｘａと反対側の端部Ｘ’からは各相巻線が共通に接続される中性点に向かって延びる引出し線Ｘｃが延びている。
【００４１】
同様に、Ｙ相巻線に着目すると、互いに電気角が１８０°異なるＹ１相巻線とＹ２相巻線とが、異型の導体セグメントによって構成される相間接合線Ｙａを介して接続されている。そして、一方の巻線Ｙ１の他方端側であって相間接合線Ｙａと反対側の端部Ｙからは整流装置５に向かって引出し線Ｙｂが延びており、他方の巻線Ｙ２の他方端側であって相間接合線Ｙａと反対側の端部Ｙ’からは各相巻線が共通に接続される中性点に向かって延びる引出し線Ｙｃが延びている。
【００４２】
Ｚ相巻線に着目すると、互いに電気角が１８０°異なるコイルＺ１とコイルＺ２とが、異型の導体セグメントによって構成される相間接合線Ｚａを介して接続されている。そして、一方の巻線Ｚ１の他方端側であって相間接合線Ｚａと反対側の端部Ｚからは整流装置５に向かって引出し線Ｚｂが延びており、他方の巻線Ｚ２の他方端側であって相間接合線Ｚａと反対側の端部Ｚ’からは各相巻線が共通に接続される中性点に向かって延びる引出し線Ｚｃが延びている。
【００４３】
上述した各相巻線に含まれる相間接合線および引出し線に対応して形成される絶縁皮膜の耐環境性がそれ以外の部分（例えば図３に示す導体セグメントの絶縁皮膜）よりも良好になるように設定されており、部分的に絶縁特性の改良が行われている。
【００４４】
図７は、固定子巻線２３の巻線仕様図であり、その一部を抜き出して示したものである。図７において、「６８」等の数字はスロット番号を示している。「Ｎ１」、「Ｎ２」はＹ結線された各相巻線が共通に接続される中性点を示している。丸で囲まれた「Ｘ」はＸ相巻線の整流装置５側の端部を、丸で囲まれた「Ｘ’」はＸ相巻線の中性点側の端部をそれぞれ示している。また、Ｘ相巻線以外のＹ相巻線、Ｚ相巻線、Ｕ相巻線、Ｖ相巻線、Ｗ相巻線についても同様である。また、各スロットにおいて、一点鎖線は内端層の電気導体に、点線は内中層の電気導体に、実線は外中層の電気導体に、二点鎖線は外端層の電気導体にそれぞれ対応している。
【００４５】
図７に示すように、本実施形態の固定子巻線２３においては、例えばＸ相巻線を構成する一方の巻線Ｘ１は、第４０スロットと第３４スロットが両端となるように、５スロットおきにほぼ１周巻装されている。Ｘ相巻線を構成する他方の巻線Ｘ２も、第４０スロットと第３６スロットが両端となるように、５スロットおきにほぼ１周巻装されている。第４０スロットから延びる巻線Ｘ１の一方端側は引出し線Ｘｂとして整流装置５に向けて引き出されており、第３４スロットから延びる巻線Ｘ２の一方端側は引出し線Ｘｃとして中性点Ｎ１に向けて引き出されている。また、第３４スロットから延びる巻線Ｘ１の他方端側と第４０スロットから延びる巻線Ｘ２の他方端側は、相互に相間接合線Ｘａを介して接続されている。
【００４６】
ところで、本実施形態の固定子巻線２３は、２組のセグメント２３１、２３２の合計４本のスロット部としての電気導体が含まれるが、セグメントの数をｎ組として一般化すると、以下の特徴を有する。
【００４７】
固定子巻線２３は、矩形断面の電気導体の長辺Ｌと短辺Ｓとの比Ｓ／Ｌの異なるｎ組の２ｎ本の電気導体をスロット部として含む場合に、長辺Ｌ１、Ｌ２、・・・、Ｌｎ−１、Ｌｎおよび短辺Ｓｎ、Ｓｎ−１、・・・、Ｓ２、Ｓ１が、外径側から内径側にこの順番で配置されており、かつ、それぞれの関係がＬ１≧Ｌ２≧・・・≧Ｌｎ−１≧Ｌｎ≧Ｓｎ≧Ｓｎ−１≧・・・≧Ｓ２≧Ｓ１の関係を満足するようになっている。
【００４８】
例えば、図８に示すように、２組４本の電気導体の場合には、外端層の電気導体の長辺Ｌ１、外中層の電気導体の長辺Ｌ２、内中層の電気導体の短辺Ｓ２、内端層の電気導体の短辺Ｓ１が、外径側から内径側にこの順番でしかもこれらの各辺が周方向に沿うように配置されるとともに、Ｌ１＞Ｌ２＞Ｓ２＞Ｓ１の関係を満足している。
【００４９】
また、本実施形態では、固定子鉄心２２のスロット２５は、収容される各電気導体の周方向幅に沿った形状を有している。具体的には、図８に示すように、スロット２５の周方向幅は、外径側においてもっとも大きくなり、内径側になるほど小さくなっている。また、隣接する２つのスロット２５で挟まれたティース２６の周方向幅は一定である。
【００５０】
図９は、スロット形状の変形例を示す図である。図８に示す例では、スロット２５の側面（電気導体に対して周方向に隣接する面）は平面であったが、図９に示すように、スロット２５内に収容される４本の電気導体の周方向幅に合わせて、側面形状を階段状にしてもよい。
【００５１】
このように、本実施形態の車両用交流発電機１では、外径側斜行部２３１ｆ２、２３２ｆ２の下面（固定子鉄心２２側）と外径側斜行部２３１ｆ２、２３２ｆ２の内径面と内径側斜行部２３１ｆ１、２３２ｆ１の下面（固定子鉄心２２側）と内径側斜行部２３１ｆ１、２３２ｆ１の内径面とがそれぞれ滑らかに連続するように変形するため、ターン部２３１ｃ、２３２ｃを挟んでその両側で斜行部２３１ｆ、２３２ｆの方向を変えるという簡単な構成により、各々の面の各々の部位に加わるストレスを低減することができる。したがって、固定子巻線２３の被膜へのストレスを低減して確実な被覆（剥離や損傷のない被膜）を提供することができ、耐環境性が良好な車両用交流発電機１の固定子２を提供することができる。
【００５２】
図１０は、電気導体を９０°捻る場合の説明図である。図１１は、電気導体を１８０°捻る場合の説明図である。図１２は、９０°捻りおよび１８０°捻りのそれぞれの伸びを比較した結果を示す図である。電気導体を９０°捻る場合には、図１０に示す捻り前のａ点が捻り後のａ'点に移動する。また、電気導体を１８０°捻る場合には、図１１に示す捻り前のｂ点が捻り後のｂ'点に移動する。
【００５３】
一般に、電気導体を折り曲げる場合の内曲げＲ、捻り幅は、電気導体の短辺と同等以上のＲ寸法が必要となる。また、図１２に示すように、１８０°捻りの場合は、断面が正方形の場合の伸び（ｂ→ｂ’）は初期（捻り前）に比べて約２倍となる。ここで、初期の２倍の伸びが製品上の限界と仮定すると、９０°捻りの場合の伸び（ａ→ａ’）は１８０°捻りの場合の約１／２に抑えることができる。よって、初期の２倍の伸びとなる捻り幅を従来の１／２まで短縮することが可能となり、スロットピッチ幅が狭い場合にも適用可能となる。また、同様の考えで、線サイズに対しては２倍の太さが可能となり、高出力化に適した固定子巻線２３を実現することができる。さらに、従来と同じ捻り幅（スロットピッチ幅）にした場合、伸びが１／２になり皮膜破れに対する耐久性に対して効果がある。
【００５４】
また、外径側の電気導体の周方向幅よりも内径側の電気導体の周方向幅を小さくすることができるため、スロット２５内に複数本（２Ｎ本）の電気導体を整列配置した場合であっても、周方向の長さが異なる外径側と内径側のそれぞれについて、周方向に隣接するコイルエンド部のギャップを均一に設定することができ、コイル間のショートやレアの発生を防止することができる。
【００５５】
なお、本発明は上記実施形態に限定されるものではなく、本発明の要旨の範囲内において種々の変形実施が可能である。上述した実施形態では、固定子巻線２３を構成する電気導体の断面形状が長辺Ｌと短辺Ｓの矩形であるものとして説明したが、断面形状が長径Ｌと短径Ｓの楕円形の場合にも本発明を適用することができる。図１３には図８に示す固定子鉄心２２に断面形状が楕円形の電気導体を組み合わせた例が、図１４には図９に示す固定子鉄心２２に断面形状が楕円形の電気導体を組み合わせた例がそれぞれ示されている。
【００５６】
また、長辺Ｌと短辺Ｓとが等しい場合、すなわち電気導体の断面形状が正方形の場合にも本発明を適用することができる。縦横の長さが等しい正方形断面の電気導体を用いることにより、内径側と外径側を反対にする誤組付けをなくすことができる。
【図面の簡単な説明】
【００５７】
【図１】一実施形態の車両用交流発電機の全体構成を示す図である。
【図２】図１に示す車両用交流発電機の結線図である。
【図３】固定子巻線を構成する導体セグメントの斜視図である。
【図４】図３に示した導体セグメントの組み付け状態を示す斜視図である。
【図５】導体セグメントの形成過程を示す図である。
【図６】一方の三相巻線の詳細な等価回路を示す図である。
【図７】固定子巻線の巻線仕様図である。
【図８】固定鉄心のスロット形状を示す図である。
【図９】スロット形状の変形例を示す図である。
【図１０】電気導体を９０°捻る場合の説明図である。
【図１１】電気導体を１８０°捻る場合の説明図である。
【図１２】９０°捻りおよび１８０°捻りのそれぞれの伸びを比較した結果を示す図である。
【図１３】断面形状が楕円形の電気導体を用いた固定子の部分的な断面図である。
【図１４】断面形状が楕円形の電気導体を用いた固定子の部分的な断面図である。
【符号の説明】
【００５８】
１  車両用交流発電機
２  固定子
３  回転子
４  フレーム
５  整流装置
２２  固定子鉄心
２３  固定子巻線
２５  スロット
【図１】
2010035381.tif 000003
【図２】
2010035381.tif 000004
【図３】
2010035381.tif 000005
【図４】
2010035381.tif 000006
【図５】
2010035381.tif 000007
【図６】
2010035381.tif 000008
【図７】
2010035381.tif 000009
【図８】
2010035381.tif 000010
【図９】
2010035381.tif 000011
【図１０】
2010035381.tif 000012
【図１１】
2010035381.tif 000013
【図１２】
2010035381.tif 000014
【図１３】
2010035381.tif 000015
【図１４】
2010035381.tif 000016